(57)【要約】【課題】  放電電極の取付異常状態を、塵等堆積状態と区別して検知することができるイオン生成装置を提供する。【解決手段】  放電電極２に正及び負の高電圧を交互に印加することによりコロナ放電を発生させ、そのコロナ放電により空気イオンを生成するイオン生成装置１において、検知手段７は、正又は負の高電圧を放電電極２に印加することに応じて、インピーダンス回路６から出力される電圧信号Ｖｐの大きさと閾値Ｔ１との大小関係を示す判定信号ＨＬＳを生成する。【選択図】  図１
2014017216.tif 000002
【特許請求の範囲】
【請求項１】
電極装着部に取り付けられた放電電極に該電極装着部を介して正及び負の高電圧を交互に印加することにより該放電電極からコロナ放電を発生させ、そのコロナ放電により空気イオンを生成するイオン生成装置において、
前記放電電極に対向して配置された検知用電極と、
前記検知用電極と接地部との間に電気的に接続され、検知用電極と接地部の間に流れる電流に応じた波形の電圧信号を出力するインピーダンス回路と、
前記インピーダンス回路から出力される前記電圧信号が入力される検知手段とを備え、
前記検知手段は、正又は負の高電圧を前記放電電極に印加することに応じて、前記インピーダンス回路から出力される前記電圧信号の大きさと所定の閾値との大小関係を示す判定信号を生成するように構成されており、
前記閾値は、前記放電電極が前記電極装着部に取り付けられていないという条件下において、該電極装着部に前記高電圧を印加した状態で、前記インピーダンス回路から出力される前記電圧信号のピーク値の大きさが、該閾値以下となると共に、前記放電電極が前記電極装着部に正常に取り付けられているという条件下において、前記放電電極に前記高電圧を印加した状態であり、且つ、該高電圧の印加時に前記放電電極からコロナ放電が発生しない状態で、前記インピーダンス回路から出力される前記電圧信号のピーク値の大きさが前記閾値よりも大きくなるように設定されていることを特徴とするイオン生成装置。
【請求項２】
請求項１に記載のイオン生成装置において、
複数の前記放電電極と、該複数の放電電極のうちの少なくとも１グループのＮ個（Ｎ：２以上の整数）の放電電極に対向する１つ以上の前記検知用電極とを有しており、
前記Ｎ個の放電電極に対向する１つ以上の前記検知用電極が、単一の前記インピーダンス回路に接続されていることを特徴とするイオン生成装置。
【請求項３】
請求項１又は２に記載のイオン生成装置において、
前記判定信号が前記電圧信号の大きさが前記閾値以下であることを示す信号である場合に、放電電極の取付異常状態が発生している旨の警報を出力するように構成されていることを特徴とするイオン生成装置。
【請求項４】
請求項３に記載のイオン生成装置において、
前記判定信号が前記電圧信号の大きさが前記閾値以下であることを示す信号である場合に、さらに、前記電極装着部への高電圧の印加を遮断するように構成されていることを特徴とするイオン生成装置。
【請求項５】
請求項１〜４のいずれか１項に記載のイオン生成装置において、
前記検知用電極は、対向する前記放電電極との間にコロナ放電を発生させる対向電極としての機能を兼ねるように配置されていることを特徴とするイオン生成装置。
【請求項６】
電極装着部に取り付けられた放電電極に該電極装着部を介して正及び負の高電圧を交互に印加することにより該放電電極からコロナ放電を発生させ、そのコロナ放電により空気イオンを生成するイオン生成装置において、放電電極の取付状態を監視をする方法であって、
前記放電電極に対向して配置された検知用電極と接地部との間に電気的に接続され、検知用電極と接地部との間に流れる電流に応じた波形の電圧信号を出力するインピーダンス回路を用い、
正又は負の高電圧を前記放電電極に印加することに応じて、前記インピーダンス回路から出力される前記電圧信号を取得するステップと、
取得した前記電圧信号の大きさと所定の閾値との大小関係を観測するステップとを備え、
前記閾値は、前記放電電極が前記電極装着部に取り付けられていないという条件下において、該電極装着部に前記高電圧を印加した状態で、前記インピーダンス回路から出力される前記電圧信号のピーク値の大きさが、該閾値以下となると共に、前記放電電極が前記電極装着部に正常に取り付けられているという条件下において、前記放電電極に前記高電圧を印加した状態であり、且つ、該高電圧の印加時に前記放電電極からコロナ放電が発生しない状態で、前記インピーダンス回路から出力される前記電圧信号のピーク値の大きさが前記閾値よりも大きくなるように設定されていることを特徴とする放電電極取付状態監視方法。
【発明の詳細な説明】
【技術分野】
【０００１】
本発明は、イオン生成装置、及び放電電極取付状態監視方法に関する。
【背景技術】
【０００２】
クリーンルームでの清浄化や浮遊粒子の帯電防止などのために除電を行う場合、コロナ放電式のイオン生成装置が多用されている（特許文献１を参照）。
【０００３】
この種のイオン生成装置においては、長時間の使用により、放電電極への塵の堆積又は電極の摩耗等によって放電電極のコロナ放電の状況が悪化することがある。
【０００４】
放電電極のコロナ放電の状況が悪化すると、アース電極（対向電極）に流れる電流が低下する。このことを利用して、対向電極に流れる電極の低下があったときに、コロナ放電の異常を報知する技術が、例えば特許文献２に提案されている。
【先行技術文献】
【特許文献】
【０００５】
【特許文献１】特許第４８２９５０３号公報
【特許文献２】特許第２８１６６６７号公報
【発明の概要】
【発明が解決しようとする課題】
【０００６】
ところで、多くのイオン生成装置は、保守点検のために放電電極を電極装着部に着脱することが可能となっている。そして、保守点検時に、放電電極への塵の堆積又は電極の摩耗等があった場合には、放電電極の清掃、交換等の作業を行うようにしている。
【０００７】
しかし、放電電極の着脱が可能であるために、放電電極の交換時などに、電極装着部への放電電極の取付けが不完全となる場合がある。このような場合には、放電電極が衝撃によって脱落する可能性がある。
【０００８】
また、保守点検時の放電電極のつけ忘れ等により放電電極が電極装着部に取り付けられていない場合もある。そして、放電電極が電極装着部から外れている場合には、イオン生成装置のイオン生成能力が著しく低下する。
【０００９】
従って、放電電極の脱落若しくは付け忘れ等によって放電電極が電極取付部から外れてしまっている状態（以降、「取付異常状態」ということがある。）が発生した場合には、放電電極への塵の堆積又は放電電極の摩耗が発生している状態（以降、「塵堆積等状態」ということがある。）と異なり、取付異常状態の発生を早急に検知して対策を施す必要性が高い。
【００１０】
しかしながら、特許文献２の如き従来の手法では、放電電極の脱落又は放電電極のつけ忘れ等による「取付異常状態」を、「塵堆積等状態」とを区別して検知することは行われていなかった。そのため、放電電極への塵の堆積又は放電電極の摩耗が発生した場合にもイオン生成装置の点検を頻繁にすることになったり、あるいは逆に、放電電極の取付異常状態が発生した場合にそれに対する対策が遅れてしまうといった不都合がある。
【００１１】
本発明は、かかる問題に鑑みてなされたものであり、放電電極の脱落又は放電電極のつけ忘れ等によって放電電極が電極装着部から外れてしまっているという異常状態（取付異常状態）を、放電電極への塵の堆積又は電極の摩耗等のような異常状態（塵等堆積状態）と区別して検知することができるイオン生成装置及び放電電極取付状態監視方法を提供することを目的とする。
【課題を解決するための手段】
【００１２】
本発明のイオン生成装置は、電極装着部に取り付けられた放電電極に該電極装着部を介して正及び負の高電圧を交互に印加することにより該放電電極からコロナ放電を発生させ、そのコロナ放電により空気イオンを生成するイオン生成装置において、前記放電電極に対向して配置された検知用電極と、前記検知用電極と接地部との間に電気的に接続され、検知用電極と接地部の間に流れる電流に応じた波形の電圧信号を出力するインピーダンス回路と、前記インピーダンス回路から出力される前記電圧信号が入力される検知手段とを備え、前記検知手段は、正又は負の高電圧を前記放電電極に印加することに応じて、前記インピーダンス回路から出力される前記電圧信号の大きさと所定の閾値との大小関係を示す判定信号を生成するように構成されており、前記閾値は、前記放電電極が前記電極装着部に取り付けられていないという条件下において、該電極装着部に前記高電圧を印加した状態で、前記インピーダンス回路から出力される前記電圧信号のピーク値の大きさが、該閾値以下となると共に、前記放電電極が前記電極装着部に正常に取り付けられているという条件下において、前記放電電極に前記高電圧を印加した状態であり、且つ、該高電圧の印加時に前記放電電極からコロナ放電が発生しない状態で、前記インピーダンス回路から出力される前記電圧信号のピーク値の大きさが前記閾値よりも大きくなるように設定されていることを特徴とする（第１発明）。
【００１３】
なお、上記インピーダンス回路は、抵抗素子、容量素子等、インピーダンスを有する１つ以上の回路素子により構成される回路を意味する。
【００１４】
また、放電電極に印加する正及び負の高電圧は、正弦波状の電圧に限らず、パルス状の電圧であってもよい。
【００１５】
これらのことは、後述の他の発明においても同様である。
【００１６】
ここで、本願発明者らの実験、検討によって、前記閾値を適切に設定することにより、放電電極の脱落又は放電電極のつけ忘れ等によって放電電極が電極装着部から外れてしまっているような異常状態（取付異常状態）を、放電電極への塵の堆積又は電極の摩耗等のような異常状態（塵等堆積状態）と区別できることが判明した。
【００１７】
すなわち、電極装着部に放電電極が正常に取り付けられ、かつ、放電電極に塵の堆積又は放電電極が摩耗している異常状態（塵堆積等状態）での電極装着部への正又は負の高電圧の印加に応じて前記インピーダンス回路から出力される前記電圧信号の大きさは、通常、放電電極が電極装着部に正常に取り付けられているが電極装着部への正又は負の高電圧の印加によるコロナ放電が発生しない状態（以下「高電圧印加時無放電状態」という。）での前記電圧信号の大きさ以上となる。
【００１８】
これに対して、放電電極の脱落又は放電電極のつけ忘れ等による前記「取付異常状態」での電極装着部への正又は負の高電圧の印加に応じて前記インピーダンスから出力される前記電圧信号の大きさは、「高電圧印加時無放電状態」での前記電圧信号の大きさよりも小さくなる。
【００１９】
そこで、第１発明では、前記閾値を、前記放電電極が前記電極装着部に取り付けられていないという条件下において、該電極装着部に前記高電圧を印加した状態で、前記インピーダンス回路から出力される前記電圧信号のピーク値の大きさが、該閾値以下となると共に、前記放電電極が前記電極装着部に取り付けられているという条件下において、前記放電電極に前記高電圧を印加した状態であり、且つ、該高電圧の印加時に前記放電電極からコロナ放電が発生しない状態で、前記インピーダンス回路から出力される前記電圧信号のピーク値の大きさが前記閾値よりも大きくなるように設定した。
【００２０】
換言すれば、第１発明では、前記閾値を、「取付異常状態」における前記電圧信号のピーク値の大きさ以上、かつ、「高電圧印加時無放電状態」における前記電圧信号のピーク値の大きさ未満の値となるように設定した。
【００２１】
従って、第１発明によれば、上記のように設定された閾値と前記電圧信号の大きさとの大小関係を示す前記検知手段から出力される判定信号に基づいて、「取付異常状態」の発生を、「塵堆積等状態」の発生と区別してすみやかに検知することができる。例えば、放電電極への正又は負の高電圧の印加に応じてインピーダンス回路から出力される電圧信号の大きさが閾値以下であることを、検知手段の判定信号が示している場合には、「塵堆積等状態」ではなく、「取付異常状態」が発生していると判断することができる。
【００２２】
第１発明のイオン生成装置において、複数の前記放電電極と、該複数の放電電極のうちの少なくとも１グループのＮ個（Ｎ：２以上の整数）の放電電極に対向する１つ以上の前記検知用電極とを有しており、前記Ｎ個の放電電極に対向する１つ以上の前記検知用電極が、単一の前記インピーダンス回路に接続されていることが好ましい（第２発明）。
【００２３】
この第２発明によれば、単一のインピーダンス回路をＮ個の放電電極に対して共用できるので、「取付異常状態」の発生を検知し得るイオン生成装置を簡略化できると共に、該イオン生成装置のコストを低減できる。
【００２４】
なお、第２発明では、前記Ｎ個の放電電極に対向する検知用電極は、当該Ｎ個の放電電極のそれぞれに各別に対向する複数の検知用電極であってもよい。
【００２５】
第１又は第２発明のイオン生成装置において、前記判定信号が前記電圧信号の大きさが前記閾値以下であることを示す信号である場合に、放電電極の取付異常状態が発生している旨の警報を出力するように構成されている（第３発明）。
【００２６】
前記判定信号が前記電圧信号の値が前記閾値以下であることを示す信号である場合は、前記したように、「取付異常状態」が発生している場合に相当する。従って、第３発明によれば、電圧信号が閾値以下となった場合に、放電電極の取付異常状態が発生している旨の警報を出力することで、「取付異常状態」の発生を作業員に報知することができる。
【００２７】
第３発明のイオン生成装置において、前記判定信号が前記電圧信号の大きさが前記閾値以下であることを示す信号である場合に、前記電極装着部への高電圧の印加を遮断するように構成されていることが好ましい（第４発明）。
【００２８】
前記判定信号が前記電圧信号の値が前記閾値以下であることを示す信号である場合は、前記したように、「取付異常状態」が発生している場合に相当する。従って、第４発明によれば、電圧信号が閾値以下となった場合に、放電電極の取付異常状態が発生している旨の警報を出力すると共に、電極装着部への高電圧の印加を遮断することで、「取付異常状態」でのイオン生成装置の運転をすみやかに停止することができる。
【００２９】
前記第１〜３発明のイオン生成装置は、コロナ放電を発生させるために前記放電電極に対向して該放電電極の近傍に配置される対向電極を備えるものであってもよい。そして、その場合、前記検知用電極と対向電極とが各別に備えられていてもよい。
【００３０】
ただし、前記検知用電極は、対向する前記放電電極との間にコロナ放電を発生させる対向電極としての機能を兼ねるように配置されていてもよい（第５発明）。
【００３１】
この第５発明によれば、前記検知用電極が前記対向電極としての機能を兼ねることで、イオン生成装置の部品点数を削減できる。従って、「取付異常状態」の発生を検知し得るイオン生成装置の構成を簡略化できると共に、該イオン生成装置のコストを低減できる。
【００３２】
本発明の放電電極取付状態監視方法は、電極装着部に取り付けられた放電電極に該電極装着部を介して正及び負の高電圧を交互に印加することにより該放電電極からコロナ放電を発生させ、そのコロナ放電により空気イオンを生成するイオン生成装置において、放電電極の取付状態を監視をする方法であって、前記放電電極に対向して配置された検知用電極と接地部との間に電気的に接続され、検知用電極と接地部との間に流れる電流に応じた波形の電圧信号を出力するインピーダンス回路を用い、正又は負の高電圧を前記放電電極に印加することに応じて、前記インピーダンス回路から出力される前記電圧信号を取得するステップと、取得した前記電圧信号の大きさと所定の閾値との大小関係を観測するステップとを備え、前記閾値は、前記放電電極が前記電極装着部に取り付けられていないという条件下において、該電極装着部に前記高電圧を印加した状態で、前記インピーダンス回路から出力される前記電圧信号のピーク値の大きさが、該閾値以下となると共に、前記放電電極が前記電極装着部に正常に取り付けられているという条件下において、前記放電電極に前記高電圧を印加した状態であり、且つ、該高電圧の印加時に前記放電電極からコロナ放電が発生しない状態で、前記インピーダンス回路から出力される前記電圧信号のピーク値の大きさが前記閾値よりも大きくなるように設定されていることを特徴とする（第６発明）。
【００３３】
この第６発明によれば、第１発明に関して説明した如く前記閾値が設定されているので、電圧信号の値と閾値との大小関係を観測することにより、前記「取付異常状態」の発生を、「塵等堆積状態」と区別して適切に把握することができる。
【図面の簡単な説明】
【００３４】
【図１】本発明の実施形態に係るイオン生成装置の構成を示す図。
【図２】放電電極と検知用電極の配置を示す図。
【図３】放電電極、インピーダンス回路及び検知判定回路の構成を示す図。
【図４】放電電極の脱落等の有無による電圧信号の波形の変化を示す図。
【図５】インピーダンス回路の構成例を示す図。
【図６】複数の放電電極と検知用電極とを１グループとして扱う配置例を示す図。
【発明を実施するための形態】
【００３５】
本発明の実施形態を図１〜図３を参照して説明する。図１に示すように、本実施形態のイオン生成装置１は、コロナ放電によって正及び負の空気イオンを生成するための構成として、電極装着部２aに着脱可能に取り付けられている放電電極２と、電極装着部２aを介してこの放電電極２に印加する正及び負の高電圧を発生する高電圧発生回路３とを備える。
【００３６】
さらにイオン生成装置１は、放電電極２の脱落又は放電電極２のつけ忘れ等によって電極装着部２aから放電電極２が外れてしまっている状態（即ち、前記「取付異常状態」）を、前記「塵堆積等状態」と区別して検知するための構成として、放電電極２に対向して配置された検知用電極４と、該検知用電極４及び接地部５の間に接続されたインピーダンス回路６と、このインピーダンス回路６から出力される電圧信号Ｖｐが入力される検知判定回路７とを備える。
【００３７】
高電圧発生回路３は、パルス状の正の高電圧及び負の高電圧を、出力端子３ａから一定の周期で交互に出力する回路である。なお、高電圧発生回路３から出力される高電圧の周波数は、本実施形態では、例えば、２６０ｋＨｚの周波数である。
【００３８】
かかる高電圧発生回路３としては、例えば特開２００９−４１７７号公報等にて本願出願人が提案した回路が採用される。ただし、高電圧発生回路３は、他の公知の回路構成のものであってもよい。また、高電圧発生回路３は、正弦波状の交流高電圧を出力する回路であってもよい。
【００３９】
放電電極２は、先鋭な先端部を有するように針状の導体により構成されている。本実施形態では、放電電極２は、絶縁体からなる容量性部材８と、高圧ケーブル９とを介して高電圧発生回路３の出力端子３ａに接続されている電極装着部２ａにねじ止めなどにより着脱可能に取り付けられている。容量性部材８は、所定の容量値を有するコンデンサとして機能する部材である。従って、本実施形態では、放電電極２は、高電圧発生回路３の出力端子３ａに容量結合の形態で接続されている。
【００４０】
なお、電極装着部２ａと高電圧発生回路３の出力端子３ａとの間に、容量性部材８と直列に抵抗素子が介装されていてもよい。あるいは、容量性部材８の代わりに、抵抗素子を介して電極装着部２ａを高電圧発生回路３に接続する（すなわち、電極装着部２ａを、高電圧発生回路３の出力端子３ａに抵抗結合の形態で接続する）ようにしてもよい。また、容量性部材８と電極装着部２ａとを一体構成としてもよい。
【００４１】
検知用電極４は、導体により構成されており、放電電極２に近接して対向するように配置されている。より具体的には、本実施形態では、検知用電極４は、図２（ａ），（ｂ）に示すように、例えば環状に形成されている。そして、検知用電極４は、放電電極２の先端部の周囲を囲むようにして（換言すれば、放電電極２の軸心方向と直交する方向で、放電電極２の外周面と間隔を存するようにして）、該放電電極２と同軸心に配置されている。
【００４２】
ただし、検知用電極４は、例えば図２（ａ）に２点鎖線で示すように、放電電極２の軸心方向で該放電電極２の先端から若干の間隔を存するように該放電電極２の前方側に配置されていてもよい。また、検知用電極４の形状は、環状に限らず、線状、あるいは、板状等であってもよい。また、検知用電極４は、絶縁体で覆われていてもよい。
【００４３】
補足すると、本実施形態のイオン生成装置１は、図示しない除電対象物の除電を行うための除電装置として利用されるものである。このため、本実施形態のイオン生成装置１では、除電対象物の除電を行う場合には、放電電極２の近辺でコロナ放電により生成される正及び負の空気イオンを、該放電電極２の前方に配置される除電対象物に向って移送するために、図示しない送風ファン等のエア供給機構（送風手段）によって、図２（ａ）に破線矢印で示す如く、放電電極２の前方側に向ってエア供給（送風）が行われるようになっている。
【００４４】
そして、検知用電極４は、放電電極２側から除電対象物への空気イオンの移送が極力妨げられないようにするために、上記のごとく放電電極２の軸心方向と直交する方向で、放電電極２と間隔を存するように配置されている。
【００４５】
また、本実施形態では、検知用電極４は、放電電極２との間でコロナ放電を発生させる対向電極としての機能を兼ねるものである。そして、検知用電極４と、放電電極２の先端部との間の間隔（あるいは検知用電極４の半径）は、放電電極２と検知用電極４との間のコロナ放電が適切に発生し得るように設定されている。
【００４６】
ここで、検知用電極４の配置に関する本願発明者の実験、検討によれば、「取付異常状態」を適切に検知し得るようにする上では、検知用電極４と放電電極２の先端との間の、該放電電極２の軸心方向での距離が、−５０〜５０ｍｍの範囲内の距離（好適には、−５０〜０ｍｍの範囲内の距離）となり、かつ、検知用電極４と放電電極２との間の、該放電電極２の軸心方向と直交する方向での距離が、５０ｍｍ以下の距離（好適には、１０〜３０ｍｍの範囲内の距離）となるように、放電電極２に対する検知用電極４の配置位置を設定しておくことが望ましい。
【００４７】
なお、放電電極２の軸心方向での上記距離は、詳しくは、放電電極２の先端から該放電電極２の基端側に近づく距離を負の距離（−５０ｍｍ等）、放電電極２の先端から該放電電極２の基端側と反対側に離れる距離を正の距離（５０ｍｍ等）としている。例えば図２（ａ）に実線で示す検知用電極４と放電電極２の先端との間の、該放電電極２の軸心方向の距離が負の距離であり、図２（ａ）に二点鎖線で示す検知用電極４と放電電極２の先端との間の、該放電電極２の軸心方向の距離が正の距離である。
【００４８】
補足すると、放電電極２と検知用電極４との間の空間は、電気的には、図３において参照符号Ａを付して示す如き等価回路で表現される。この等価回路Ａは、放電電極２と検知用電極４との間の静電容量に相当する容量素子Ｃａに、放電電極２と検知用電極４との間のコロナ放電によって流れる放電電流の抵抗に相当する抵抗素子ＲｄｉｓをスイッチＳＷｄｉｓを介して並列接続した回路である。
【００４９】
この場合、上記スイッチＳＷｄｉｓは、コロナ放電の発生状態でＯＮとなり、コロナ放電が発生していない状態ではＯＦＦとなるスイッチである。従って、等価回路Ａは、コロナ放電の発生状態では、容量素子Ｃａと抵抗素子Ｒｄｉｓとの並列回路により構成され、コロナ放電が発生してない状態では、容量素子Ｃａにより構成される回路である。
【００５０】
なお、放電電極２が電極装着部２ａから取り外された状態では、容量素子Ｃａは、電極装着部２ａと検知用電極４との間の静電容量に相当するものとなる。その容量値は、一般に、電極装着部２ａに正常に取り付けられた放電電極２と、検知用電極４との間の静電容量よりも小さいものとなる。
【００５１】
インピーダンス回路６は、インピーダンスを有する回路素子により構成された回路である。このインピーダンス回路６は、本実施形態では、図３に示すように、２つの抵抗素子１０ａ、１０ｂを直列に接続して構成された並列回路である。
【００５２】
そして、インピーダンス回路６は、検知用電極４と接地部５との間でインピーダンス回路６を介して流れる電流に応じた電圧信号Ｖｐとして、抵抗素子１０ｂの発生電圧（検知用電極４と接地部５との間の電圧を抵抗素子１０ａ、１０ｂにより分圧した電圧）を出力する。
【００５３】
検知判定回路７は、本発明における検知手段に相当するものである。本実施形態では、検知判定回路７は、インピーダンス回路６から出力される電圧信号Ｖｐの大きさと、あらかじめ定められた閾値との大小関係を示す判定信号ＨＬＳを生成する機能を有するように構成されている。
【００５４】
ここで、検知判定回路７を具体的に説明する前に、電極装着部２ａに正及び負の高電圧の一方、例えば正の高電圧を印加したときにインピーダンス回路６から出力される電圧信号Ｖｐの波形と、放電電極２の取付異常状態との間の関係について図４を参照して説明しておく。
【００５５】
図４は、本実施形態の実際のイオン生成装置１において、電極装着部２ａに高電圧発生回路３から正の高電圧を印加した場合に、実測された電圧信号Ｖｐ（インピーダンス回路６の出力信号）の波形の例を参照符号Ｖｐ−ｏｎ，Ｖｐ−ｏｆｆ，Ｖｐ−ｂｒを付したグラフで示している。なお、この場合に、電極装着部２ａに印加した正の高電圧は、参照符号Ｖｎのグラフで示すような波形のパルス状の高電圧である。
【００５６】
そして、図４の電圧信号Ｖｐの波形Ｖｐ−ｏｎ，Ｖｐ−ｏｆｆ，Ｖｐ−ｂｒのうちの波形Ｖｐ−ｏｎは、電極装着部２ａに正常に取り付けられた放電電極２からのコロナ放電を正常に発生させた状態で実測された波形である。また、電圧信号Ｖｐ−ｏｆｆの波形は、電極装着部２ａに正常に取り付けられた放電電極２からのコロナ放電を意図的に発生させないようにした状態で実測された波形である。さらに、電圧信号Ｖｐの波形Ｖｐ−ｂｒは、放電電極２を電極装着部２ａから取り外した状態で実測された波形である。
【００５７】
図４に示すように、電圧信号Ｖｐの波形Ｖｐ−ｏｎ，Ｖｐ−ｏｆｆ，Ｖｐ−ｂｒは、基本的には、電極装着部２ａへの正の高電圧の印加に応じて、電圧値が、あるピーク値まで立ち上がり、続いて、該ピーク値から立ち下がる（ゼロに近づく）ように変化する。
【００５８】
また、図４に示すように、波形Ｖｐ−ｏｎ，Ｖｐ−ｏｆｆのピーク値の大きさは、Ｖｐ−ｂｒのピーク値の大きさよりも大きくなっていることが判る。
【００５９】
これは、放電電極２が電極装着部２ａから取り外された状態での該電極装着部２ａへの高電圧の印加によって、該電極装着部２ａと検知用電極４との間にそれらの間の静電容量に応じて流れる変位電流が、放電電極２が電極装着部２ａに正常に取り付けられている状態での該電極装着部２ａへの高電圧の印加によって、放電電極２と検知用電極４との間にそれらの間の静電容量に応じて流れる変位電流よりも小さくなるためであると考えられる。
【００６０】
なお、上記のような現象は、電極装着部２ａに負の高電圧を印加した場合にも同様に生じるものである。すなわち、電極装着部２ａに負の高電圧（例えば負の半波の正弦波）を印加した場合、波形Ｖｐ−ｏｎ，Ｖｐ−ｏｆｆのピーク値の大きさは、Ｖｐ−ｂｒのピーク値の大きさよりも大きくなる。
【００６１】
また、このような現象は、放電電極２が電極装着部２ａから外れかかっている状態でも同様に生じることが確認された。
【００６２】
以上の説明を基礎として、以下に、検知判定回路７の詳細を説明する。
【００６３】
図３に示すように、検知判定回路７は、インピーダンス回路６から出力される電圧信号Ｖｐから、高周波のノイズ成分及び直流成分を除去した信号である整形電圧信号Ｖｉｂｐを生成して出力する波形整形回路１２と、電極装着部２ａに正及び負の高電圧のうちの正の高電圧が高電圧発生回路３から印加される期間において波形整形回路１２から出力される整形電圧信号Ｖｉｂｐの大きさと、あからじめ設定された閾値Ｔ１との大小関係を示す信号を判定信号ＨＬＳとして生成して出力する検知回路１３とを備える。
【００６４】
波形整形回路１２は、例えば、入力側にバッファを有するバンドパスフィルタにより構成される。そして、波形整形回路１２は、該バンドパスフィルタの低域側遮断周波数以下の低周波成分（主に直流成分）と、高域側遮断周波数以上の高周波成分（主にノイズ成分）とを前記電圧信号Ｖｐから除去することで、前記整形電圧信号Ｖｉｂｓを生成して出力する。
【００６５】
検知回路１３は、電極装着部２aに正の高電圧が印加されている期間において、前記整形電圧信号Ｖｉｂｓの大きさと、あらかじめ設定された閾値Ｔ１とを比較し、その大小関係を示す信号である判定信号ＨＬＳを生成して出力する回路であり、例えば、比較回路等を用いて構成される。
【００６６】
より詳しくは、電極装着部２aに正の高電圧が印加されている期間において、前記整形電圧信号Ｖｉｂｓが、その大きさがあらかじめ設定された所定時間以上継続して閾値Ｔ１を超えるような波形の電圧信号である場合には、検知回路１３は、判定信号ＨＬＳとしてハイレベル信号を出力する。一方、電極装着部２aに正の高電圧が印加されている期間において、前記整形電圧信号Ｖｉｂｓの大きさが閾値Ｔ１以下に保持されている場合には、検知回路１３は、判定信号ＨＬＳとしてローレベル信号を出力する。
【００６７】
整形電圧信号Ｖｉｂｓの大きさが閾値Ｔ１を超える時間が、所定時間以上継続することをハイレベル信号を出力するための条件としているのは、ノイズ等によって一時的に整形電圧信号Ｖｉｂｓの大きさが閾値Ｔ１を超えてしまった場合にハイレベル信号を出力しないようにするためである。
【００６８】
ここで、閾値Ｔ１は、放電電極２が電極装着部２ａに取り付けられていないという条件下において、該電極装着部２ａに正の高電圧を印加した状態で、前記インピーダンス回路６から出力される電圧信号Ｖｐのピーク値の大きさが、該閾値Ｔ１以下となると共に、放電電極２が電極装着部２ａに取り付けられているという条件下において、放電電極２に正の高電圧を印加した状態であり、且つ、該高電圧の印加時に意図的に放電電極２からコロナ放電を発生させないようにした状態で、前記インピーダンス回路６から出力される電圧信号Ｖｐのピーク値の大きさが閾値Ｔ１よりも大きくなるように、実験的に設定されている。
【００６９】
換言すれば、図４に示す如く、閾値Ｔ１は、電極装着部２aから放電電極２を意図的に取り外した状態で電極装着部２aへ正の高電圧を印加した場合における、整形電圧信号Ｖｉｂｓのピーク値以上となり、放電電極２を電極装着部２aに正常に取り付け、かつ、コロナ放電を意図的に発生させないようにして電極装着部２aへ正の高電圧を印加した場合における整形電圧信号Ｖｉｂｓのピーク値未満の値となるように実験的に設定されている。
【００７０】
このように閾値Ｔ１が設定されているので、整形電圧信号Ｖｉｂｓが閾値Ｔ１以下である場合は、「取付異常状態」に相当する。一方、整形電圧信号Ｖｉｂｓが閾値Ｔ１以下である場合は、放電電極２が正常に取り付けられている状態に相当する。
【００７１】
なお、本実施形態では、検知回路１３は、電極装着部２ａに負の高電圧が印加されている間、判定信号ＨＬＳが常にローレベルに維持されるように構成されている。
【００７２】
また、検知回路１３での判定信号ＨＬＳ生成に代えて、波形整形回路１２の出力信号をＡ／Ｄ変換したデジタル信号に基づいて、デジタル処理若しくはソフトウェア処理により判定信号ＨＬＳを生成してもよい。
【００７３】
また、本実施形態では、検知判定回路７の出力（検知回路１３から出力される判定信号ＨＬＳ）は、表示器、ランプ、ブザー等の報知器（図示省略）の動作制御と前記高電圧発生回路３の動作制御とに利用される。より具体的には、電極装着部2aに正の高電圧が印加されている期間において、該判定信号ＨＬＳがローレベルに維持されている場合、「取付異常状態」に相当する状態であるので、該判定信号ＨＬＳに応じて、放電電極２の脱落又は取り付け忘れ等の「取付異常状態」が発生している旨を作業者等に報知がされる。それに併せて、高電圧発生回路３の作動（高電圧の出力）が停止される。
【００７４】
なお、イオン生成装置１は、放電電極２への高電圧印加の１回周期で該判定信号ＨＬＳがローレベルに維持されている場合に、「取付異常状態」発生の報知と高電圧発生回路３の作動停止とを行うように構成されてもよいし、高電圧印加の複数回周期連続で該判定信号ＨＬＳがローレベルに維持されている場合に「取付異常状態」発生の報知と高電圧発生回路３の作動停止とを行うように構成されてもよい。
【００７５】
次に、本実施形態のイオン生成装置１の空気イオンの生成量の検知に関する全体的な作動を説明する。
【００７６】
除電対象物（帯電物体）の除電を行う場合に、高電圧発生回路３を起動することで、該高電圧発生回路３の出力端子３aから電極装着部２ａに、正及び負の高電圧が一定周期で交互に印加される。なお、この場合、エア供給機構による送風も行われる。ただし、送風を行うことは必須ではない。
【００７７】
このとき、放電電極２が電極装着部２ａに正常に取り付けられている場合には、放電電極２の「塵堆積等状態」がさほど進行していない限り、電極装着部２ａに正又は負の高電圧が印加されている期間において、放電電極２と対向電極としての検知用電極４との間で該放電電極２の先端部に集中するように発生する電界によって、放電電極２の先端部からコロナ放電が発生する。そして、このコロナ放電によって空気がイオン化することで、空気イオンが生成される。
【００７８】
この場合、放電電極２に正の高電圧が印加された状態でのコロナ放電によって、正の空気イオンが生成され、放電電極２に負の高電圧が印加された状態でのコロナ放電によって、負の空気イオンが生成される。
【００７９】
そして、このように生成される正及び負の空気イオンによって、除電対象物の帯電電荷が中和され、該除電対象物の除電がなされる。
【００８０】
このような作動中において、放電電極２に、例えば正又は負の高電圧が印加された期間で、その高電圧に応じてインピーダンス回路６に電流が流れる。電流が流れることにより抵抗素子１０ｂに電圧が生じ、この電圧が電圧信号Ｖｐとして検知判定回路７に入力される。
【００８１】
検知判定回路７では、波形整形回路１２において、電圧信号Ｖｐからノイズ成分及び直流成分が除去されて整形された後、検知回路１３によって、該信号の大きさとあらかじめ定められた閾値Ｔ１との大小関係を示す判定信号ＨＬＳが生成される。
【００８２】
ここで、放電電極２が電極装着部２ａに正常に取り付けられている場合には、「塵堆積等状態」が発生していない場合はもちろん、「塵堆積等状態」が発生している場合でも、放電電極２に正の高電圧を印加に応じてインピーダンス回路６から出力される電圧信号Ｖｐの大きさは、閾値Ｔ１よりも大きくなる。このような場合には、検知回路１３は、正の高電圧を電極装着部２aに印加している状態で、判定信号ＨＬＳとしてハイレベル信号を出力する。
【００８３】
一方で、前記「取付異常状態」が発生した場合には、電極装着部２aへの正の高電圧の印加に応じてインピーダンス回路６から出力される電圧信号Ｖｐの大きさは、閾値Ｔ１以下に保たれる。このような場合には、検知回路１３は、正の高電圧を電極装着部２aに印加している期間において、判定信号ＨＬＳとしてローレベル信号を出力する。
【００８４】
従って、正の高電圧を電極装着部２aに印加している期間において、検知回路１３の判定信号ＨＬＳを監視することで、「取付異常状態」の発生を、「塵堆積等状態」の発生と区別して検知をすることができる。
【００８５】
また、イオン生成装置１は、検知回路１３の出力を監視し、所定期間（例えば、放電電極２に正の高電圧を印加する１周期又は複数周期の期間）に、判定信号ＨＬＳがローレベル信号に維持されていた場合、作業者へ「取付異常状態」が発生した旨を報知すると共に、高電圧発生回路３の作動が停止され、電極装着部２ａへの正及び負の高電圧の印加が遮断される。
【００８６】
以上の如く、本実施形態によれば、「取付異常状態」を、「塵堆積等状態」と区別して高い信頼性で検知することができる。そして、その検知に応じて、作業者へ「取付異常状態」が発生した旨が報知されるので、作業者が「取付異常状態」の発生を見過ごすことが防止される。そのため、「取付異常状態」の対策がすみやかに行われる。また、報知に併せて、電極装着部２ａへの正及び負の高電圧の印加を遮断することで、「取付異常状態」での運転を防止することができる。
【００８７】
（変形態様）
前記実施形態では、検知判定回路７は、電極装着部２ａに正の高電圧が印加された状態での電圧信号Ｖｐの大きさを閾値Ｔ１と比較することで「取付異常状態」の発生を検知するように構成したが、電極装着部２ａに負の高電圧が印加された状態での電圧信号Ｖｐの大きさを閾値Ｔ２と比較することで「取付異常状態」の発生を検知するように構成してもよい。
【００８８】
その場合には、前記閾値Ｔ２は、放電電極２を電極装着部２ａから取り外した状態で電極装着部２ａへ負の高電圧を印加した場合における、インピーダンス回路６から出力される電圧信号Ｖｐの波形における整形電圧信号Ｖｉｂｓのピーク値以上、電極装着部２ａに正常に取り付けられた放電電極２から意図的にコロナ放電を発生させないようにした状態での整形電圧信号Ｖｉｂｓのピーク値未満の値の値となるように設定すればよい。
【００８９】
あるいは、電極装着部２ａに、正の高電圧が印加された状態と、負の高電圧が印加された状態との両方で、インピーダンス回路６の電圧信号Ｖｐと閾値Ｔ１との比較をすることにより「取付異常状態」の発生を検知するようにしてもよい。
【００９０】
なお、前記実施形態では、検知回路１３は、「取付異常状態」か否かを示す判定信号ＨＬＳを出力するように構成されているが、電極装着部２ａに正の高電圧が印加された状態での電圧信号Ｖｐの大きさを閾値Ｔ１の差を示す信号を判定信号として出力するように構成されてもよい。
【００９１】
前記実施形態では、検知用電極４は、放電電極２との間でコロナ放電を発生させる対向電極としての機能を兼ねるように構成されたが、検知用電極４と対向電極を別個に設けてもよい。
【００９２】
図５（ａ）に示すように、前記実施形態に係るインピーダンス回路６は、２つの抵抗素子１０a、１０ｂを直列に接続して構成されている。インピーダンス回路６は、抵抗素子１０ｂの発生電圧を電圧信号Ｖｐとして出力する。
【００９３】
インピーダンス回路６は、上記の形態に限られず、変位電流及びイオン電流が流れる形であればどのように構成されてもよい。以下、インピーダンス回路６の構成例を図５（ｂ）〜（ｈ）を参照して説明する。
【００９４】
図５（ｂ）に示すように、インピーダンス回路６は、２つの抵抗素子２１、２２を直列に接続し、それらの２つの抵抗素子２１、２２と容量素子２３を並列に接続し、抵抗素子２２に発生する電圧を電圧信号Ｖｐとして出力するように構成されてもよい。
【００９５】
また、図５（ｃ）に示すように、インピーダンス回路６を単一の抵抗素子２１から構成し、抵抗素子２１に発生する電圧を電圧信号Ｖｐとして出力するようにしてもよい。
【００９６】
また、図５（ｄ）に示すように、インピーダンス回路６は、抵抗素子を含まず、容量素子２３及び容量素子２４を直列に接続し、容量素子２４に発生する電圧を電圧信号Ｖｐとして出力するように構成されてもよい。
【００９７】
また、図５（ｅ）に示すように、抵抗素子２１と容量素子２３とが並列に接続され、抵抗素子２１に発生する電圧を電圧信号Ｖｐとして出力するように、インピーダンス回路６を構成してもよい。
【００９８】
さらに、図５（ｆ）に示すように、抵抗素子２１と容量素子２４とが並列に接続され、それらの並列回路と容量素子２３とを直列に接続し、抵抗素子２１に発生する電圧を電圧信号Ｖｐとして出力するようにインピーダンス回路６を構成してもよい。
【００９９】
他に、図５（ｇ）に示すように、抵抗素子２１と容量素子２３とが並列に接続され、それらの並列回路と抵抗素子２２とを直列に接続し、抵抗素子２２に発生する電圧を電圧信号Ｖｐとするようにインピーダンス回路６を構成してもよい。
【０１００】
また、図５（ｈ）に示すように、並列に接続される抵抗素子２１と容量素子２３との組と、同じく並列に接続される抵抗素子２２と容量素子２４との組とが直列に接続され、抵抗素子２２に発生する電圧を電圧信号Ｖｐとして出力するようにインピーダンス回路６を構成してもよい。
【０１０１】
前記各実施形態では、放電電極２が単一である場合のイオン生成装置１を例にとって説明したが、本発明を適用するイオン生成装置は、複数の放電電極２を備えるものであってもよい。
【０１０２】
その場合、各放電電極２毎に、検知用電極４、インピーダンス回路６及び検知判定回路７の組を備えるようにしてもよいが、イオン生成装置に備える全ての放電電極２を、例えばＮ個（Ｎ：２以上の整数）ずつのグループに分類しておき、各グループのＮ個の放電電極２に対して、単一のインピーダンス回路６及び検知判定回路７を共用してもよい。
【０１０３】
例えば、図６に示すように、１つのグループに属するＮ個（図示例では５個）の放電電極２のそれぞれに対向して配置された検知用電極４を、単一のインピーダンス回路６に並列に接続し、このインピーダンス回路６の出力（電圧信号Ｖp）を、前記各実施形態と同様の検知判定回路７に入力するようにしてもよい。なお、この場合、上記Ｎ個の放電電極２には、同じ高電圧が高電圧発生回路３から同時に印加される。
【０１０４】
このようにしても、後述するように、インピーダンス回路６から出力される電圧信号Ｖｐは、上記Ｎ個の放電電極２の脱落又は上記Ｎ個の放電電極２の取り付け忘れ等に応じて変化するものとなる。従って、電圧信号Ｖｐと閾値Ｔ１との比較に基づいて放電電極２の脱落又は放電電極２の取り付け忘れ等の異常状態を検知できる。
【０１０５】
なお、図６に示す例では、Ｎ個の放電電極２のそれぞれ毎に、検知用電極４を備えるようにしているが、それらの検知用電極４を一体に構成して、Ｎ個の放電電極２に対して共通の検知用電極４を備えるようにしてもよい。この場合には、当該共通の検知用電極４は、例えば、各放電電極２にそれぞれ臨む複数の貫通穴を穿設した板状の導体部材、あるいは、Ｎ個の放電電極２の側方に配置した棒状の導体部材により構成することができる。
【０１０６】
【表１】
2014017216.tif 000003
【０１０７】
表１は、単一のインピーダンス回路６及び検知判定回路７に接続される放電電極２の個数Ｎを１から５まで変化させた場合に、脱落している放電電極の個数（Ｎｄ）と、インピーダンス回路６から出力される電圧信号Ｖｐの値との関係を示した表である。
【０１０８】
表１からわかるように、放電電極２の個数Ｎによらず、脱落している電極数（Ｎｄ）が多くなるなると、電圧信号Ｖｐの値は小さくなる。
【０１０９】
このことから、放電電極が複数（Ｎが２以上）であっても、放電電極の脱落又は取り付け忘れ等の有無を監視することができることが分かる。
【符号の説明】
【０１１０】
１‥イオン生成装置、２‥放電電極、４‥検知用電極、５‥接地部、６‥インピーダンス回路、７‥検知判定回路、Ｖｐ‥電圧信号、ＨＬＳ‥判定信号。
【図１】
2014017216.tif 000004
【図２】
2014017216.tif 000005
【図３】
2014017216.tif 000006
【図４】
2014017216.tif 000007
【図５】
2014017216.tif 000008
【図６】
2014017216.tif 000009